(57)【要約】【課題】固体光源を調光する際に目標とする光量と実際の光量との差を少なくする。【解決手段】点灯装置１は、負荷電流Ｉ１の大きさを目標値に一致させるように定電流回路１１を制御する第２制御回路１３を備える。第２制御回路１３は、発光ダイオード３が消灯している場合、負荷電流Ｉ１を流さないように定電流回路１１を制御する。第１制御回路１２は、発光ダイオード３が消灯している場合、発光ダイオード３に印加される電圧が発光ダイオード３の点灯開始電圧よりも低くなるようにバックブーストコンバータ１０を制御する。第２制御回路１３と定電流回路１１は、共通のグラウンド（信号用接地SGND）を有する。【選択図】        図１
2018107050.tif 000002
【特許請求の範囲】
【請求項１】
入力電圧を昇圧又は降圧し、固体光源に負荷電流を供給するバックブーストコンバータと、
前記負荷電流を定電流化する定電流回路と、
前記バックブーストコンバータを制御する第１制御回路と、
前記負荷電流の大きさを目標値に一致させるように前記定電流回路を制御する第２制御回路と
を備え、
前記第２制御回路と前記定電流回路は、共通のグラウンドを有する
ことを特徴とする点灯装置。
【請求項２】
前記定電流回路は、
前記負荷電流が流れる電流経路に設けられたトランジスタと、
前記負荷電流の大きさを検出し、検出した前記負荷電流の大きさを前記目標値に一致させるように前記トランジスタを駆動する駆動回路とを有し、
前記第２制御回路は、前記駆動回路に対して前記目標値に対応した駆動信号を出力し、
前記駆動回路は、前記負荷電流の大きさに比例しかつ前記グラウンドとの電位差を示す検出電圧と、前記駆動信号との差を小さくするように前記トランジスタを駆動する
ことを特徴とする請求項１記載の点灯装置。
【請求項３】
前記第２制御回路は、前記固体光源が消灯している場合、前記負荷電流を流さないように前記定電流回路を制御し、
前記第１制御回路は、前記固体光源が消灯している場合、前記固体光源に印加される電圧が前記固体光源の点灯開始電圧よりも低くなるように前記バックブーストコンバータを制御する
ことを特徴とする請求項１又は２記載の点灯装置。
【請求項４】
前記第１制御回路は、前記固体光源が消灯している場合、前記バックブーストコンバータを間欠的に動作させる
ことを特徴とする請求項３記載の点灯装置。
【請求項５】
前記バックブーストコンバータ、前記定電流回路、前記第１制御回路及び前記第２制御回路を収容するケースと、
前記ケースから引き出されて前記負荷電流の供給路となる電線とを有する
ことを特徴とする請求項１〜４のいずれか１項に記載の点灯装置。
【請求項６】
請求項１〜５のいずれか１項に記載の点灯装置と、
前記点灯装置によって点灯させられる固体光源と、
前記点灯装置及び前記固体光源を支持する器具本体とを有する
ことを特徴とする照明器具。
【発明の詳細な説明】
【技術分野】
【０００１】
本発明は、点灯装置及び照明器具に関し、より詳細には、固体光源を点灯する点灯装置、及び当該点灯装置を備えた照明器具に関する。
【背景技術】
【０００２】
従来、固体光源である発光ダイオード（ＬＥＤ：Light Emitting Diode）を点灯し、かつ、調光することが可能な点灯装置が提供されている（例えば、特許文献１参照）。
【０００３】
特許文献１記載の点灯装置（電源装置）は、いわゆる絶縁型のフライバックコンバータを備え、フライバックコンバータから発光ダイオードに供給する電流を基準値に一致させるように構成されている。また、特許文献１記載の点灯装置（以下、従来例という）は、調光信号に応じて基準値を変更することにより、発光ダイオードの光量（光束）を調整（調光）可能としている。さらに、従来例は、発光ダイオードを消灯状態から点灯状態に切り替える際の時間を短縮するため、発光ダイオードの消灯時にもフライバックコンバータを動作させ続けている。ただし、従来例は、発光ダイオードの消灯時には、フライバックコンバータの出力電圧を発光ダイオードの点灯開始電圧より低い一定電圧に制御することで発光ダイオードを消灯している。
【先行技術文献】
【特許文献】
【０００４】
【特許文献１】特開２００９−１８９１８４号公報
【発明の概要】
【発明が解決しようとする課題】
【０００５】
ところで、上記従来例のような点灯装置においては、固体光源（発光ダイオード）の光量を調整（調光）する際、目標とする光量と実際の光量との差を少なくすることが望まれているが、従来例の構成では十分とは言えなかった。
【０００６】
本発明の目的は、固体光源を調光する際に目標とする光量と実際の光量との差を少なくすることができる点灯装置及び照明器具を提供することである。
【課題を解決するための手段】
【０００７】
本発明の一態様に係る点灯装置は、入力電圧を昇圧又は降圧し、固体光源に負荷電流を供給するバックブーストコンバータと、前記負荷電流を定電流化する定電流回路とを備える。また、前記点灯装置は、前記バックブーストコンバータを制御する第１制御回路と、前記負荷電流の大きさを目標値に一致させるように前記定電流回路を制御する第２制御回路とを備える。前記第２制御回路と前記定電流回路は、共通のグラウンドを有する。
【０００８】
本発明の一態様に係る照明器具は、前記点灯装置と、前記点灯装置によって点灯させられる固体光源と、前記点灯装置及び前記固体光源を支持する器具本体とを有する。
【発明の効果】
【０００９】
本発明の点灯装置及び照明器具は、固体光源を調光する際に目標とする光量と実際の光量との差を少なくすることができるという効果がある。
【図面の簡単な説明】
【００１０】
【図１】図１は、本発明の一実施形態に係る点灯装置の回路図である。
【図２】図２は、同上の点灯装置と、同上の点灯装置と組み合わされる照明器具の断面図である。
【図３】図３は、本発明の一実施形態に係る照明器具の断面図である。
【発明を実施するための形態】
【００１１】
以下、本発明の一実施形態に係る点灯装置１及び照明器具６について、図面を参照して詳細に説明する。なお、以下の実施形態で説明する構成は本発明の一例にすぎない。本発明は、以下の実施形態に限定されず、本発明の効果を奏することができれば、設計等に応じて種々の変更が可能である。
【００１２】
点灯装置１は、交流電源４から供給される交流電力を直流電力に変換し、変換した直流電力を供給することで固体光源（発光ダイオード３）を点灯させる。ただし、点灯装置１が点灯させる固体光源は発光ダイオードに限定されず、例えば、有機エレクトロルミネッセンス素子、あるいは半導体レーザなどの発光ダイオード以外の固体光源でも構わない。
【００１３】
点灯装置１は、図１に示すように、バックブーストコンバータ１０と、定電流回路１１と、第１制御回路１２と、第２制御回路１３とを備えている。さらに、点灯装置１は、第１制御電源回路１４と、第２制御電源回路１５と、検出回路１６と、信号入力回路１７と、整流回路１８と、フォトカプラ１９とを備えることが好ましい。
【００１４】
整流回路１８は、ダイオードブリッジで構成されている。整流回路１８の交流入力端に交流電源４が電気的に接続されている。整流回路１８は、交流入力端に入力される交流電圧を全波整流し、整流後の脈流電圧（入力電圧Ｖ１）を脈流出力端から出力する。
【００１５】
バックブーストコンバータ１０は、昇降圧チョッパとも呼ばれる電力変換回路であって、整流回路１８の脈流出力端間から出力される入力電圧Ｖ１を昇圧又は降圧して所望の電圧（出力電圧Ｖ２）に変換するように構成されている。バックブーストコンバータ１０は、スイッチング素子Ｑ１、インダクタＬ１、ダイオードＤ１、平滑コンデンサＣ１を有している。スイッチング素子Ｑ１は、例えば、エンハンスメント形のｎチャンネルＭＯＳＦＥＴ（Metal-Oxide-Semiconductor Field Effect Transistor）である。スイッチング素子Ｑ１のドレインが整流回路１８の高電位側の脈流出力端と電気的に接続されている。スイッチング素子Ｑ１のソースがインダクタＬ１の第１端（巻き終わり端）及びダイオードＤ１のカソードと電気的に接続されている。インダクタＬ１の第２端（巻き始め端）が整流回路１８の低電位側の脈流出力端及び平滑コンデンサＣ１の高電位側の端子と電気的に接続されている。ダイオードＤ１のアノードが平滑コンデンサＣ１の低電位側の端子と電気的に接続されている。平滑コンデンサＣ１の高電位側の端子が整流回路１８の低電位側の脈流出力端及び発光ダイオード３のアノードと電気的に接続されている。なお、ダイオードＤ１のカソードがグラウンド（メイングラウンド）GNDに電気的に接続されている。バックブーストコンバータ１０のスイッチング素子Ｑ１は、第１制御回路１２によってオン・オフされる。スイッチング素子Ｑ１がオンすると、スイッチング素子Ｑ１を通してインダクタＬ１に第１端から第２端に向かう向きの電流が流れる。このとき、インダクタＬ１には、第２端に対して第１端を高電位とする向き（第１の向き）の起電力が発生するが、ダイオードＤ１に阻止されて平滑コンデンサＣ１に電流が流れない。スイッチング素子Ｑ１がオフすると、インダクタＬ１には、第１の向きと逆向き（第２の向き）の起電力が発生する。つまり、インダクタＬ１は、スイッチング素子Ｑ１がオンしている間に蓄積した電磁エネルギをスイッチング素子Ｑ１がオフしている間に放出することによって、第１端から第２端に向かう向きの電流を流す。この電流（負荷電流Ｉ１）は、平滑コンデンサＣ１で平滑されて発光ダイオード３に供給されて発光ダイオード３を点灯させる。
【００１６】
第１制御回路１２は、例えば、コンバータ用のドライバＩＣ（Integrated Circuit）で構成される。第１制御回路１２は、少なくとも５つの端子１２１〜１２５を有している。第１端子１２１は、電源入力用の端子であって、第１制御電源回路１４から第１制御電源電圧Ｖcc１が入力される。第２端子１２２は、グラウンド用の端子であって、バックブーストコンバータ１０と共通のグラウンドGNDに電気的に接続される。第３端子１２３は、スイッチング素子Ｑ１のゲートに駆動信号を出力する端子である。第４端子１２４は、ダイオードＤ２のカソードと電気的に接続されている。ダイオードＤ２のアノードは発光ダイオード３のカソードと電気的に接続され、かつ、コンデンサＣ５を介して信号用接地SGNDと電気的に接続されている。すなわち、第４端子１２４は、スイッチング素子Ｑ１と発光ダイオード３のカソードの接続点の電位とグラウンドGNDとの電位差に比例した電圧Ｖｋが入力される。ただし、第４端子１２４は、コンデンサＣ３を介して第２端子１２２と電気的に接続されている。このコンデンサＣ３は、第４端子１２４の入力電圧を平滑している。例えば、第１制御回路１２は、第４端子１２４の入力電圧（電圧Ｖｋに比例した電圧）を目標値に一致させるように駆動信号のデューティ比を調整し、スイッチング素子Ｑ１をＰＷＭ（Pulse Width Modulation）制御する。第５端子１２５は、第１制御回路１２を待機状態にするための信号（待機指示信号と呼ぶ）が第２制御回路１３から入力される入力端子である。待機状態とは、第１制御回路１２が第３端子１２３から出力する駆動信号のデューティ比を０［％］にすることでスイッチング素子Ｑ１を駆動しない状態（オフ状態に維持する状態）である。第５端子１２５及び第２端子１２２にフォトカプラ１９の一対の出力端子（フォトカプラ１９が有するフォトトランジスタ１９１のコレクタとエミッタ）が電気的に接続されている。ただし、フォトカプラ１９の出力端子間にコンデンサＣ４が電気的に接続されている。第１制御回路１２は、第５端子１２５に待機指示信号が入力されている場合に待機状態となり、スイッチング素子Ｑ１を駆動しない。スイッチング素子Ｑ１が駆動されなければ、平滑コンデンサＣ１の充電電荷が放電されるにつれてバックブーストコンバータ１０の出力電圧Ｖ２が低下する。
【００１７】
第１制御電源回路１４は、スイッチング素子Ｑ１がオフしているときにインダクタＬ１に磁気結合されている補助巻線Ｌ２に発生する起電力から第１制御電源電圧Ｖcc１を生成するように構成されている。なお、第１制御電源回路１４は、バックブーストコンバータ１０のグラウンド（インダクタＬ１の第１端と電気的に接続されているグラウンド）GNDを基準電位として第１制御電源電圧Ｖcc１及びフィードバック電圧Ｖfbを生成している。第１制御回路１２は、第１制御電源回路１４から第１制御電源電圧Ｖcc１が供給されて動作する。
【００１８】
定電流回路１１は、負荷電流Ｉ１が流れる電流経路に設けられたトランジスタ１１０と、負荷電流Ｉ１の大きさを検出し、検出した負荷電流Ｉ１の大きさを目標値に一致させるようにトランジスタ１１０を駆動する駆動回路１１１とを有している。トランジスタ１１０は、例えば、エンハンスメント形のｎチャンネルＭＯＳＦＥＴである。トランジスタ１１０のドレインが発光ダイオード３のカソードと電気的に接続されている。駆動回路１１１は、オペアンプ１１２と、抵抗Ｒ１、Ｒ２、Ｒ３と、コンデンサＣ２とを有している。オペアンプ１１２の出力端子がトランジスタ１１０のゲートに電気的に接続されている。トランジスタ１１０のソースが抵抗Ｒ１の第１端及びオペアンプ１１２のマイナス入力端子と電気的に接続されている。オペアンプ１１２のプラス入力端子は、抵抗Ｒ２の第２端と抵抗Ｒ３の第１端とコンデンサＣ２の第１端に電気的に接続されている。抵抗Ｒ２の第１端がオペアンプ１１２の出力端子と電気的に接続されている。抵抗Ｒ３の第２端が平滑コンデンサＣ１の低電位側の端子及びダイオードＤ１のアノードと電気的に接続されている。なお、オペアンプ１１２のマイナスの電源端子は、抵抗Ｒ１の第２端及び抵抗Ｒ３の第２端とともに信号用接地（シグナルグラウンド：Signal Ground）SGNDに電気的に接続されている。オペアンプ１１２は、マイナス入力端子に入力される抵抗Ｒ１の両端電圧（負荷電流Ｉ１に比例した検出電圧Ｖｙ）と、プラス入力端子に入力されるコンデンサＣ２の両端電圧との差電圧を増幅して出力端子から出力する。つまり、オペアンプ１１２は、検出電圧ＶｙがコンデンサＣ２の両端電圧よりも低ければ、出力電圧を増大させてトランジスタ１１０のドレイン電流（負荷電流Ｉ１）を増やすように動作する。また、オペアンプ１１２は、検出電圧ＶｙがコンデンサＣ２の両端電圧よりも高ければ、出力電圧を減少させてトランジスタ１１０のドレイン電流（負荷電流Ｉ１）を減らすように動作する。
【００１９】
検出回路１６は、バックブーストコンバータ１０の出力電圧Ｖ２を検出し、出力電圧Ｖ２に比例した検出電圧Ｖｘを出力するように構成されている。
【００２０】
第２制御電源回路１５は、例えば、一般に３端子レギュレータと呼ばれるシリーズレギュレータを有している。第２制御電源回路１５は、バックブーストコンバータ１０の出力電圧Ｖ２から、信号用接地SGNDを基準電位とし、かつ出力電圧Ｖ２よりも低い第２制御電源電圧Ｖcc２を生成するように構成されている。なお、第２制御電源電圧Ｖcc２は、定電流回路１１のオペアンプ１１２のプラスの電源端子と、第２制御回路１３の電源端子（後述する第５端子１３５）とに供給される。
【００２１】
信号入力回路１７は、点灯装置１の外から入力される制御信号の信号形態を変更するように構成されている。例えば、信号入力回路１７は、調光信号の信号形態をＰＷＭ信号から直流電圧信号に変更するように構成されることが好ましい。具体的には、信号入力回路１７は、積分回路を有し、ＰＷＭ信号を積分回路で積分することによってＰＷＭ信号を直流電圧信号に変更するように構成されることが好ましい。ここで、信号入力回路１７に入力される制御信号（調光信号）は、発光ダイオード３の光量（調光レベル）を指示する信号である。ここで、調光レベルは、発光ダイオード３に定格入力電流（負荷電流Ｉ１の定格値）が流れて発光ダイオード３が定格点灯するときの調光レベルを１００［％］とし、負荷電流Ｉ１の定格値に対する割合を示している。ただし、調光レベルが０［％］の調光信号は、発光ダイオード３の消灯を指示する消灯指示信号に相当する。
【００２２】
第２制御回路１３は、例えば、マイクロコントローラで構成されている。第２制御回路１３は、少なくとも６つの端子１３１〜１３６を有している。第１端子１３１は、信号入力回路１７から制御信号（例えば、直流電圧信号からなる調光信号）が入力される入力端子である。第２端子１３２は、駆動信号の出力端子であり、駆動回路１１１のオペアンプ１１２のプラス入力端子と電気的に接続されている。駆動信号は、例えば、制御信号（調光信号）で指示される調光レベルが高くなるほどデューティ比が大きくなるＰＷＭ信号である。第３端子１３３はグラウンド用の端子であって、定電流回路１１と共通のグラウンドGND（信号用接地SGND）に電気的に接続される。第４端子１３４は、検出回路１６の検出電圧Ｖｘが入力される入力端子である。第５端子１３５は、電源入力用の端子であって、第２制御電源回路１５から第２制御電源電圧Ｖcc２が入力される。第６端子１３６は、フォトカプラ１９を介して、第１制御回路１２に待機指示信号を出力するための出力端子である。第６端子１３６からハイレベルの待機指示信号が出力されると、スイッチ素子Ｑ２がオンすることでフォトカプラ１９の発光ダイオード１９０が発光し、第１制御回路１２の第５端子１２５が基準電位に等しくなることで待機指示信号が第５端子１２５に入力される。スイッチ素子Ｑ２はＮＰＮ型のバイポーラトランジスタである。スイッチ素子Ｑ２のコレクタが発光ダイオード１９０のカソードと電気的に接続され、スイッチ素子Ｑ２のエミッタが第３端子１３３と電気的に接続され、スイッチ素子Ｑ２のベースが入力抵抗を介して第６端子１３６と電気的に接続されている。なお、発光ダイオード１９０のアノードは抵抗を介して第２制御電源回路１５の出力端と電気的に接続されている。
【００２３】
第２制御回路１３は、第１端子１３１に入力される調光信号の調光レベルが１００［％］から下限値（例えば、５［％］）までの範囲であれば、調光レベルに対応したデューティ比を有するＰＷＭ信号（駆動信号）を第２端子１３２から出力する。定電流回路１１の駆動回路１１１は、負荷電流Ｉ１の検出電圧（抵抗Ｒ１の両端電圧）と、駆動信号（のデューティ比に対応した電圧）との差を小さくするようにトランジスタ１１０を駆動することで負荷電流Ｉ１を目標値に一致させる。
【００２４】
ところで、第２制御回路のグラウンドと定電流回路のグラウンドとが共通でない場合、第２制御回路は、フォトカプラのように電気的に絶縁された信号伝達手段を介して定電流回路に駆動信号を出力しなければならない。しかしながら、フォトカプラは、一般に出力をオン・オフするスイッチとして使用されており、入力電流に応じて出力電流を増減することで負荷電流を制御する場合、入力電流に対する出力電流の変動が大きい。その結果、調光信号で指示された調光レベル（光量）と、実際に発光ダイオード３から放射される光量との差が大きくなってしまう。
【００２５】
これに対して本実施形態の点灯装置１において、第２制御回路１３と定電流回路１１が共通のグラウンド（信号用接地SGND）を有している。そのため、第２制御回路１３は、フォトカプラを介さずに定電流回路１１の駆動回路１１１に直接駆動信号を出力することができる。したがって、点灯装置１は、第２制御回路のグラウンドと定電流回路のグラウンドとが共通でない場合と比較して、発光ダイオード３を調光する際に目標とする光量と実際の光量との差を少なくすることができる。
【００２６】
また、第２制御回路１３は、第１端子１３１に入力される調光信号の調光レベルが０［％］になると、定電流回路１１により負荷電流Ｉ１をゼロとし、発光ダイオード３を消灯させる。さらに、第２制御回路１３は、第６端子１３６から第１制御回路１２の第５端子１２５に対して待機指示信号を出力する。第１制御回路１２は、第５端子１２５に待機指示信号が入力されると、駆動信号を出力しないことでスイッチング素子Ｑ１をオフ状態とする。スイッチング素子Ｑ１がオフ状態になると、平滑コンデンサＣ１の充電電荷が放電されるに連れてバックブーストコンバータ１０の出力電圧Ｖ２が低下する。出力電圧Ｖ２が低下すると検出回路１６の検出電圧Ｖｘも低下する。第２制御回路１３は、検出電圧Ｖｘがしきい値を下回ると待機指示信号の出力を停止する。第１制御回路１２は、第５端子１２５に待機指示信号が入力されなくなれば、駆動信号の出力を再開する。駆動信号の出力が再開されると、バックブーストコンバータ１０の出力電圧Ｖ２が上昇する。そして、第２制御回路１３は、出力電圧Ｖ２が上昇することで検出電圧Ｖｘがしきい値を超えると待機指示信号を出力する。つまり、第１制御回路１２は、第２制御回路１３から第５端子１２５に入力される待機指示信号に応じてバックブーストコンバータ１０を間欠的に動作させることにより、出力電圧Ｖ２を発光ダイオード３の点灯開始電圧よりも低い電圧に一致させる。ここで、待機状態における出力電圧Ｖ２の目標値は、発光ダイオード３の点灯開始電圧よりも低く、かつ、第２制御電源回路１５が第２制御電源電圧Ｖcc２を生成可能な入力電圧よりも高い値に設定されることが好ましい。待機状態における出力電圧Ｖ２の目標値が上述のような値に設定されれば、発光ダイオード３の消灯中においても第２制御回路１３を動作させ続け、調光信号に対する第２制御回路１３の応答速度の低下を抑えることができる。
【００２７】
ここで、第１制御回路１２は、第５端子１２５に待機指示信号が入力されている場合、バックブーストコンバータ１０を間欠的に動作させることが好ましい。ただし、第１制御回路１２は、出力電圧Ｖ２を、第２制御電源回路１５が第２制御電源電圧Ｖcc２を生成可能な入力電圧よりも高い電圧に維持することができる周期でバックブーストコンバータ１０を間欠的に動作させることが好ましい。このように第１制御回路１２がバックブーストコンバータ１０を間欠的に動作させれば、バックブーストコンバータ１０を連続して動作させる場合と比較して、発光ダイオード３の消灯中における点灯装置１の消費電力の削減を図ることができる。
【００２８】
ところで、点灯装置１が備える各回路は、金属製のケース２０に収容されることが好ましい（図２参照）。また、点灯装置１は、ケース２０から引き出された電線２１を介して照明器具５と電気的に接続されている。照明器具５は、天井仕上げ材８に埋込配設されるダウンライトであって、発光ダイオード３を内蔵した器具本体５０を備えている。
【００２９】
器具本体５０は、アルミダイカストなどの金属材料により下面が開口した有底円筒形状に形成されている。器具本体５０の内底面に発光ダイオード３を実装した基板５２が取り付けられている。器具本体５０の下面の開口が円板状のカバー５１で閉塞される。なお、カバー５１は、ガラスやポリカーボネートなどの透光性材料で形成される。
【００３０】
次に、図３を参照して、本実施形態の照明器具６を説明する。照明器具６は、天井仕上げ材８に埋込配設されるダウンライトであって、発光ダイオード３と点灯装置１を器具本体６０内に収容する。
【００３１】
器具本体６０は、アルミダイカストなどの金属材料により下面が開口した有底円筒形状に形成されている。また、器具本体６０の内部空間が、円板状の仕切板６１によって上下に分割されることが好ましい。さらに、器具本体６０の下面の開口は、ガラスやポリカーボネートなどの透光性材料で形成される円板状のカバー６２で閉塞されることが好ましい。
【００３２】
発光ダイオード３は、仕切板６１の下面側に配設されることが好ましい。また、点灯装置１は、器具本体６０内の仕切板６１よりも上方の空間に収容され、電源ケーブル６３によって発光ダイオード３と電気的に接続されることが好ましい。
【００３３】
なお、点灯装置１の外から信号入力回路１７に入力される制御信号は調光信号に限定されない。例えば、制御信号は、器具本体５０、６０に設けられて照明空間における人の存在を検知するセンサ（人感センサ）から出力される人検知信号でもよい。点灯装置１は、人検知信号が入力されていないときは発光ダイオード３を消灯するか、あるいは低い調光レベルで点灯させ、人検知信号が入力されると発光ダイオード３を点灯（例えば、１００［％］の調光レベルで点灯）させることが好ましい。あるいは、制御信号は、器具本体５０、６０に設けられて照明空間の明るさ（照度）を検知するセンサ（照度センサ）から出力される照度検知信号でもよい。点灯装置１の第２制御回路１３は、照度検知信号が示す照度を照度目標値に一致させるように定電流回路１１を制御することが好ましい。
【００３４】
上述のように点灯装置１は、入力電圧Ｖ１を昇圧又は降圧し、固体光源（発光ダイオード３）に負荷電流Ｉ１を供給するバックブーストコンバータ１０と、負荷電流Ｉ１を定電流化する定電流回路１１とを備える。また、点灯装置１は、バックブーストコンバータ１０を制御する第１制御回路１２と、負荷電流Ｉ１の大きさを目標値に一致させるように定電流回路１１を制御する第２制御回路１３とを備える。第２制御回路１３と定電流回路１１は、共通のグラウンド（信号用接地SGND）を有する。
【００３５】
点灯装置１は、第２制御回路１３と定電流回路１１との間を電気的に絶縁する必要が無いので、第２制御回路のグラウンドと定電流回路のグラウンドとが共通でない場合と比較して、発光ダイオード３を調光する際に目標とする光量と実際の光量との差を少なくすることができる。
【００３６】
また、点灯装置１において、定電流回路１１は、負荷電流Ｉ１が流れる電流経路に設けられたトランジスタ１１０を有することが好ましい。また、定電流回路１１は、負荷電流Ｉ１の大きさを検出し、検出した負荷電流Ｉ１の大きさを目標値に一致させるようにトランジスタ１１０を駆動する駆動回路１１１を有することが好ましい。第２制御回路１３は、駆動回路１１１に対して目標値に対応した駆動信号を出力することが好ましい。駆動回路１１１は、負荷電流Ｉ１の大きさに比例しかつグラウンドとの電位差を示す検出電圧Ｖｙと、駆動信号との差を小さくするようにトランジスタ１１０を駆動することが好ましい。
【００３７】
点灯装置１が上述のように構成されれば、トランジスタ１１０の増幅作用を利用して負荷電流Ｉ１を調整しているので、スイッチング電源回路を利用して負荷電流Ｉ１を調整する場合と比較して、回路構成の簡素化を図ることができる。
【００３８】
点灯装置１において、第２制御回路１３は、発光ダイオード３が消灯している場合、負荷電流Ｉ１を流さないように定電流回路１１を制御することが好ましい。第１制御回路１２は、発光ダイオード３が消灯している場合、発光ダイオード３に印加される電圧が発光ダイオード３の点灯開始電圧よりも低くなるようにバックブーストコンバータ１０を制御することが好ましい。
【００３９】
点灯装置１が上述のように構成されれば、発光ダイオード３の消灯中においても第２制御回路１３を動作させ続けることにより、第２制御回路１３の応答速度の低下を抑えることができる。
【００４０】
点灯装置１において、第１制御回路１２は、発光ダイオード３が消灯している場合、バックブーストコンバータ１０を間欠的に動作させることが好ましい。
【００４１】
点灯装置１が上述のように構成されれば、バックブーストコンバータ１０を連続して動作させる場合と比較して、発光ダイオード３の消灯中における点灯装置１の消費電力の削減を図ることができる。
【００４２】
点灯装置１は、バックブーストコンバータ１０、定電流回路１１、第１制御回路１２及び第２制御回路１３を収容するケース２０と、ケース２０から引き出されて負荷電流Ｉ１の供給路となる電線２１とを有することが好ましい。
【００４３】
点灯装置１が上述のように構成されれば、照明器具５と別体のケース２０にバックブーストコンバータ１０などが収容されるので、照明器具５から離れて設置されることで発光ダイオード３から放射される熱の影響を受け難くなる。
【００４４】
照明器具６は、点灯装置１と、点灯装置１によって点灯させられる発光ダイオード３と、点灯装置１及び発光ダイオード３を支持する器具本体６０とを有する。
【００４５】
照明器具６は上述のように構成されるので、発光ダイオード３を調光する際に目標とする光量と実際の光量との差を少なくすることができる。
【符号の説明】
【００４６】
１  点灯装置
３  発光ダイオード（固体光源）
６  照明器具
１０  バックブーストコンバータ
１１  定電流回路
１２  第１制御回路
１３  第２制御回路
２０  ケース
２１  電線
６０  器具本体
１１０  トランジスタ
１１１  駆動回路
Ｖ１  入力電圧
Ｖ２  出力電圧
Ｉ１  負荷電流
Ｖｙ  検出電圧
SGND 信号用接地（グラウンド）
【図１】
2018107050.tif 000003
【図２】
2018107050.tif 000004
【図３】
2018107050.tif 000005